(57)【要約】      （修正有）【課題】折り畳み可能であって、取り扱いおよび持ち運びを容易に行うことができると共に、掲示効果を向上させることが可能なバナースタンドを提供する。【解決手段】バナーを支持するバナースタンド２０であって、設置面から垂直方向に延在する棒状の本体支柱部２１と、本体支柱部に折り畳み可能に取り付けられ、本体支柱部の下端部に固定された状態で接地面上に配置される接地部２３と、本体支柱部の上端部に着脱可能に取り付けられ、水平方向に配置され、バナーの中間部を保持する上端バナー保持部２２と、接地部に着脱可能に接合されて上端バナー保持部の幅方向両側に配置され、バナーの両端部を固定できる一対の下端バナー保持部２４とを備え、一対の下端バナー保持部の一方には、バナーの一端部を取り付け固定し、上端バナー保持部にはバナーの中間部を支持させ、下端バナー保持部の他方には、バナーの他端部を取り付け固定するように構成されている。【選択図】図１
0003227433.tif 000002
【実用新案登録請求の範囲】
【請求項１】
バナーを支持するバナースタンドであって、
設置面から垂直方向に延在する棒状の本体支柱部と、
前記本体支柱部に対して折り畳み可能に取り付けられ、前記本体支柱部の下端部に固定された状態で設置面上に配置される接地部と、
前記本体支柱部の上端部に着脱可能に取り付けられ、水平方向に配置され、バナーの中間部を保持する上端バナー保持部と、
前記接地部に着脱可能に接合されて前記上端バナー保持部の幅方向両側に配置され、バナーの両端部を固定できる一対の下端バナー保持部とを備え、
前記一対の下端バナー保持部の一方には、前記バナーの一端部を取り付け固定し、前記上端バナー保持部にはバナーの中間部を支持させ、前記下端バナー保持部の他方には、前記バナーの他端部を取り付け固定するように構成されていることを特徴とするバナースタンド。
【請求項２】
前記本体支柱部は、伸縮可能に形成されていると共に、前記接地部は上下方向にスライド可能であることを特徴とする請求項１記載のバナースタンド。
【請求項３】
前記接地部は、折り畳み可能であると共に、前記本体支柱に対してスライド可能に取り付けられた棒状脚部により形成されていることを特徴とする請求項１記載のバナースタンド。
【請求項４】
前記棒状脚部は、相互に前記本体支柱部を介して直角に交差して配置される４本の脚部材からなることを特徴とする請求項３記載のバナースタンド。
【請求項５】
前記下端バナー保持部は、前記脚部材の内、互いに対向して配置される２本の脚部材の先端に設けられた支持部と、前記支持部に着脱可能に装着され、互いに平行に配置される２本の第一の棒状部材とにより構成されていることを特徴とする請求項４記載のバナースタンド。
【請求項６】
前記上端バナー保持部は、前記本体支柱部の先端に固定された支持部と、前記支持部に着脱可能に装着され、前記第一の棒状部材と平行に配置される第二の棒状部材とにより構成されていることを特徴とする請求項１記載のバナースタンド。
【考案の詳細な説明】
【技術分野】
【０００１】
本考案は、広告等が記載されたバナーを支持するバナースタンドの改良に関する。
【背景技術】
【０００２】
従来、イベント会場、店舗等の様々な施設において、例えば、広告等が記載されたバナーを支持する自立型であって小型に折り畳み可能に形成されたバナースタンドが使用されている（例えば、特許文献１を参照。）。
【先行技術文献】
【特許文献】
【０００３】
【特許文献１】特開２０１０−２２４２５４号公報
【特許文献２】特開平１１-９５７０６号公報
【考案の概要】
【考案が解決しようとする課題】
【０００４】
しかしながら、上記特許文献１所載の発明にあっては、布状の掲示物を１枚のみ一方向に向けてしか掲示できないように構成されており、掲示効果が期待できない、という不具合がある。
一方、特許文献２所載の発明にあっては、２方向に掲示板を有しており、双方向への掲示効果が期待できるが、小さく折り畳むことはできず、搬送性に劣る、という不具合があった。
【０００５】
本考案は、上述のような実状に鑑みてなされたものであり、折り畳み可能であって、取り扱いおよび持ち運びを容易に行うことができると共に、掲示効果を向上させることが可能なバナースタンドを提供することが課題である。
【課題を解決するための手段】
【０００６】
上記課題を解決するために、請求項１に記載の考案は、バナーを支持するバナースタンドであって、設置面から垂直方向に延在する棒状の本体支柱部と、前記本体支柱部に折り畳み可能に取り付けられ、前記本体支柱部の下端部に固定された状態で接地面上に配置される接地部と、前記本体支柱部の上端部に着脱可能に取り付けられ、水平方向に配置され、バナーの中間部を保持する上端バナー保持部と、前記接地部に着脱可能に接合されて前記上端バナー保持部の幅方向両側に配置され、バナーの両端部を固定できる一対の下端バナー保持部とを備え、前記一対の下端バナー保持部の一方には、前記バナーの一端部を取り付け固定し、前記上端バナー保持部にはバナーの中間部を支持させ、前記下端バナー保持部の他方には、前記バナーの他端部を取り付け固定するように構成されていることを特徴とするバナースタンドである。
【０００７】
従って、請求項１記載の考案にあっては、使用時には、接地部を本体支柱部の下端部に固定した状態で接地面上に立設し、バナーの一端部を一方の下端バナー保持部に取り付け、上端バナー保持部を介して展張し、他端部を他方の下端バナー保持部に固定することにより、バナーを取り付けることができる。また、非使用時には、接地部を前記本体支柱部に対して折り畳むと共に、上端バナー保持部及び下端バナー保持部を取り外して搬送又は収納することができる。
【０００８】
請求項２記載の考案は、上下方向にスライド可能であると共に前記本体支柱部は伸縮可能に形成されていることを特徴とする請求項１記載のバナースタンドである。
【０００９】
従って、使用時には本体支柱部を適宜伸ばし、非使用時、例えば、搬送時、収納時には支柱部を縮小させておくことができる。
【００１０】
請求項３記載の考案は、前記接地部は、折り畳み可能であると共に、前記本体支柱に対してスライド可能に取り付けられた棒状脚部により形成されていることを特徴とする請求項１記載のバナースタンドである。
【００１１】
接地部が折り畳み可能に形成されていることから、搬送時、収納時には本体支柱上をスライドさせて折り畳むことができると共に、使用時には折り畳んだ棒状脚部を展張させて接地部を形成することができる。
【００１２】
請求項４記載の考案は、前記棒状脚部は、相互に前記本体支柱部を介して直角に交差して配置される４本の脚部材からなることを特徴とする請求項３記載のバナースタンドである。
【００１３】
従って、接地部は、直角に交差した４本の脚部材により形成される。
【００１４】
請求項５記載の考案は、前記下端バナー保持部は、前記脚部材の内、互いに対向して配置される２本の脚部材の先端に設けられた支持部と、前記支持部に着脱可能に装着され、互いに平行に配置される２本の第一の棒状部材とにより構成されていることを特徴とする請求項４記載のバナースタンドである。
【００１５】
従って、一対の下端バナー保持部は脚部材に対して着脱可能であり。搬送時、収納時には脚部材から取り外すことができ、使用時は脚部材に取り付けることができる。
【００１６】
請求項６記載の考案は、前記上端バナー保持部は、前記本体支柱部の先端に固定された支持部と、前記支持部に着脱可能に装着され、前記第一の棒状部材と平行に配置される第二の棒状部材とにより構成されていることを特徴とする請求項１記載のバナースタンドである。
【００１７】
従って、上端バナー保持部も下端バナー保持部と同様に、搬送時、収納時には脚部材から取り外すことができ、使用時は脚部材に取り付けることができる。
【考案の効果】
【００１８】
請求項１記載の考案にあっては、使用時には、接地部を本体支柱部の下端部に固定した状態で接地面上に立設し、バナーの一端部を一方の下端バナー保持部に取り付け、上端バナー保持部を介して展張し、他端部を他方の下端バナー保持部に固定することにより、バナーを取り付けることができる。
また、非使用時には、接地部を前記本体支柱部に対して折り畳むと共に、上端バナー保持部及び下端バナー保持部を取り外して搬送又は収納することができることから、バナーを一対の下端バナー保持部の間に、上端バナー保持部を介して展張することができるため、双方向に向かってバナーを掲示することができ、掲示効果を向上させることが可能なバナースタンドを提供することが可能となる。
また、非使用時には、接地部を前記本体支柱部に対して折り畳むと共に、上端バナー保持部及び下端バナー保持部を取り外して搬送又は収納することができるため、折り畳み可能であって、取り扱い、持ち運び及び収納を容易に行うことができる。
【００１９】
請求項２記載の考案にあっては、請求項１記載の考案の効果に加えて、使用時には本体支柱部を伸ばし、非使用時、例えば、搬送時、収納時には支柱部を縮小させておくことができることから、小型の状態にして搬送することができ、より搬送しやすいバナースタンドを提供することができる。
【００２０】
請求項３記載の考案は、接地部が折り畳み可能に形成されていることから、搬送時、収納時には本体支柱上をスライドさせて折り畳むことができると共に、使用時には折り畳んだ棒状脚部を展張させて接地部を形成することができることから、請求項１記載の考案の効果に加えて、使用者にとってより使いやすいバナースタンドを提供することができる。
【００２１】
請求項４記載の考案は、前記棒状脚部は、相互に前記本体支柱部を介して直角に交差して配置される４本の脚部材からなり、接地部は直角に交差した４本の脚部材により形成されていることから、バナーを展張した場合であっても、使用時に安定した使用状態を確保することが可能となる。
【００２２】
請求項５記載の考案にあっては、一対の下端バナー保持部は脚部材に対して着脱可能である。搬送時、収納時には脚部材から取り外すことができ、使用時は脚部材に取り付けることができ、請求項６記載の考案にあっては、上端バナー保持部も下端バナー保持部と同様に、搬送時、収納時には脚部材から取り外すことができ、使用時は脚部材に取り付けることができることから、非使用時に小型化することができ、搬送性に富んだバナースタンドを提供することが可能となる。
【図面の簡単な説明】
【００２３】
【図１】本考案の一実施の形態に係るバナースタンドが組み立てられ、バナーを取り付け可能な状態を示す斜視図である。
【図２】本考案の一実施の形態に係るバナースタンドを組み立てた状態及び、組み立て状態における接地部の接合部材を裏面側から示す斜視図である。
【図３】本考案の一実施の形態に係るバナースタンドであって、第一の保持部材及び第二の保持部材を取り外して折り畳んだ状態を示す斜視図である。
【図４】本考案の一実施の形態に係るバナースタンドを示し、図3に示すバナースタンドを折り畳んだ状態から使用のために組み立てた状態を示す斜視図である。
【図５】本考案の一実施の形態に係るバナースタンドの使用状態を示し、バナーのバナースタンドへの取り付け状態を示す斜視説明図である。
【図６】本考案の一実施の形態に係るバナースタンドの使用状態を示し、バナースタンドにバナーが取り付けられた状態を示す斜視図である。
【図７】本考案の一実施の形態に係るバナースタンドの使用状態を示し、バナーが取り付けられたバナースタンドに他のバナーが取り付けられたバナースタンドを横方向に接合させて連接させる際の手順を示す斜視図である。
【図８】本考案の一実施の形態に係るバナースタンドの使用状態を示し、バナーが取り付けられたバナースタンドに他のバナーが取り付けられたバナースタンドを横方向に接合させて連接させる状態を示す斜視図である。
【考案を実施するための形態】
【００２４】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００２５】
図１および図２に示すように、本実施の形態に係るバナースタンド２０は、設置面Ｇから垂直方向に立設される棒状の本体支柱部２１と、本体支柱部２１に対して折り畳み可能に取り付けられ、本体支柱部２１の下端部に固定された状態で接地面Ｇ上に配置される接地部２３と、本体支柱部２１の上端部に着脱可能に取り付けられ、水平方向に配置され、バナー１０の中間部を保持する上端バナー保持部２２と、接地部２３に着脱可能に接合されて上端バナー保持部２２の幅方向両側に配置され、バナー１０の両端部を固定できる一対の下端バナー保持部２４、２４とを備えている。
【００２６】
本実施の形態にあっては、本体支柱部２１、接地部２３、上端バナー保持部２２、下端バナー保持部２４、２４は全て棒状部材により形成されている。そして、一対の下端バナー保持部２４、２４の一方には、前記バナー１０の一端部を取り付け固定し、上端バナー保持部２２にはバナー１０の中間部を支持させ、下端バナー保持部２４、２４の他方には、前記バナー１０の他端部を取り付け、図６に示すように、全体としてバナー１０を側方略逆Ｖ字状に固定できるように構成されている。
本体支柱部２１は、本実施の形態にあっては、小径の本体支柱部２１ａと、本体支柱部が内部に挿通される大径支柱部２１ｂとにより入れ子式に構成され、軸方向に伸縮可能であって、適宜の高さ寸法位置において固定リング部２１ｃにより固定して小径の棒状部材２１ａを大径の棒状部材２１ｂに対して固定した状態で使用できるように構成されている。
【００２７】
小径の本体支柱部２１ａの先端部には後述の上端バナー保持部２２を構成する管状支持部２５が固定されている。管状支持部２５は上端バナー保持部２２を構成する第二の保持部材２６が挿通固定されるように構成されている。
また、図２、３及び４図に示すように、大径の本体支柱部２１ｂの下端部には、平面十字状のストッパ部３５が配設されており、後述の脚部材２７の接合部材２８の裏面側に係止して、その状態で脚部材２７に対して垂直に立設して固定できるように形成されている。
【００２８】
接地部２３は、折り畳み可能であると共に、本体支柱部２１に対してスライド可能に取り付けられた棒状脚部４０により形成されている。
棒状脚部４０は、相互に本体支柱部２１を介して直角に交差して配置される４本の脚部材２７からなり、平面十字状の接合部材２８を介して本体支柱部２１に対して上下方向にスライド可能に取り付けられている。
【００２９】
図２に示すように、４本の脚部材２７は、夫々、接合部材２８において、接合部材２８を構成する４本の脚固定部２９に、軸部材３０を介して基端部が回動可能に固定され、脚部材２７全体が。それぞれ、本体支柱部２１に対して軸方向に沿って折り畳めるように構成されている。
４本の脚部材２７は、互いに対向する一対の、異なる長さ寸法の一対の脚部材２７ａ及び２７ｂにより形成されており、一対の脚部材２７ａは他方の一対の脚部材２７ｂよりも長く形成されており、長寸法の脚部材２７ａの先端部には、後述の下端バナー保持部２４を構成する管状支持部３１が固定されている。
【００３０】
接合部材２８は、図４に示すように、平面略十字状に形成され、中央基部３３と、中央基部３３に連設され、互いに直交して突設された４つの脚固定部２９を有している。脚固定部２９は、下方に向かって開口部２９ａが形成されたチャンネル状に形成されており、４本の脚部材２７の基端部は軸部材３０によって各脚固定部２９に回動可能に固定され、４本の脚部材２７は軸部材３０を回動中心として開口部２９ａ方向に回動し、その結果、図３に示すように、夫々、本体支柱部２１に沿って折り畳めるように配設されている。
【００３１】
接合部材２８の中央基部３３には貫通孔３２が開設されており、貫通孔３２内に大径の本体支柱部２１ｂが軸方向に沿ってスライド可能に挿通配置されている。
また、中央基部３３には貫通孔３２の周縁に十字状の凹部３４が形成されている。上記のように大径の本体支柱部２１ｂの下端部に固定されたストッパ部３５は凹部３４に係合して固定されるように構成されている。
【００３２】
図１に示すように、前記下端バナー保持部２４は、上述のように、４本の脚部材２７の内、互いに対向して配置される２本の長寸法脚部材２７ａ、２７ａに夫々、一対に設けられている。
本実施の形態にあっては、下端バナー保持部２４は、長寸法脚部材２７ａの先端に直交して設けられた管状支持部３１と、管状支持部３１に着脱可能に挿通して装着され、互いに平行に配置される２本の棒状の第一の保持部材３６とにより構成されている。
第一の保持部材３６は、管状支持部３１に対して軸方向に沿って挿入した状態で着脱可能に接合配置され、装着時には長さ方向中間部において管状支持部３１に対して装着される。
【００３３】
上端バナー保持部２２は、小径の本体支柱部２１ａの先端に直交して固定された管状支持部２５と、管状支持部２５に着脱可能に挿通して装着され、第一の保持部材３６に対して平行に配置される一本の棒状の第二の保持部材２６とにより構成されている。
第二の保持部材２６は、管状支持部２５に対して軸方向に沿って挿入した状態で着脱可能に接合配置され、装着時には長さ方向中間部において管状支持部２５に対して装着される。
【００３４】
以下、本実施の形態に係るバナースタンド２０の使用方法について説明する。
非使用時には、図３に示す状態で保管又は搬送される。即ち、二本の第一の保持部材３６及び第二の保持部材２６は、夫々、管状支持部３１、２５から夫々取り外されると共に、接地部２３を構成する４本の脚部材２７は夫々、接合部材２８の脚固定部２９の開口部２９ａ方向へそれぞれ折り畳まれ、大径の本体支柱部２１ｂに沿った形で折り畳まれ、大径の本体支柱部２１ｂの上端部に配設された固定リング部２１ｃに至るまでスライドした状態となる。
【００３５】
従って、この状態でバナースタンド２０は折り畳まれてコンパクトな状態となり、適宜、収納又は搬送される。従って、非常に小さいスペースに効率よく収納することが可能となると共に容易に搬送することができる。
次に、折り畳んだバナースタンド２０を使用状態にする場合には、図４及び図５に示すように、折り畳んだ４本の脚部材２７を拡開して、本体支柱部２１に対して直角な状態にすると共に、大径本体支持部２１ｂ上を下端部にスライドさせて、図２に示すように、ストッパ部材３５を脚固定部２９の裏面部に設けられた凹部３４に係合させて固定し、接地部２３を形成する。
【００３６】
その後、管状支持部３１及び２５に、それぞれ、第二の保持部材３６及び第一の保持部材２６を挿通固定して、バナー１０を取り付け可能な状態とする。
【００３７】
次に、バナースタンド２０にバナー１０を取り付けて展張する場合について説明する。
図１に示すように、バナースタンド２０を組み立てた状態において、図５に示すように、平面長方形状に形成されたバナー１０を一方の下端バナー保持部２４ａに固定する。
この場合、バナー１０の長さ方向両端部の幅方向両端部には、一対のリング状係止部３７が夫々設けられており、長さ方向一端部の一対のリング状係止部３７，３７を、第一の保持部材３６の両端部に係止して、上端バナー保持部２２を構成する第二の保持部材２６方向へ展張する。
【００３８】
その後、図６に示すように、第二の保持部材２６を介して、上記同様の要領によって他方の下端バナー保持部２４ｂに固定する。その後、周方向に一部に開口部が形成された
管状係止部材３８を第一の保持部材３６の両端部に挿通させて、リング状係止部３７を被覆するように固定する。
さらに、第一の保持部材３６及び第二の保持部材２６の径よりも大径のフランジ部を有するキャップ部材３９を、夫々、第一の保持部材３６及び第二の保持部材２６の両端部にはめ込み、バナー１０の抜け落ち、移動を阻止する。これにより、バナー１０は確実にバナースタンド２０に固定された状態で展張される。
【００３９】
その結果、バナー１０は、一対の下端バナー保持部２４ａには、バナー１０の一端部を取り付け固定し、上端バナー保持部２２にはバナー１０の中間部を支持させ、他方の下端バナー保持部２４ｂには、バナー１０の他端部を取り付け固定され、両方の下端バナー保持部２４ａ、２４ｂの間において上端バナー保持部を介して側面逆Ｖ字状に展張され、バナー１０は双方向から視認できるように配置され、バナー１０に表示した表示物の広告効果を十分に発揮することができる。
【００４０】
本実施の形態にあっては、本体支柱部２１は、大径の本体支柱部２１ａ及び、大径の本体支柱部２１ａに挿通された小径の本体支柱部２１ｂとにより構成され、適宜箇所において固定できるように伸縮可能に形成されていることから、上端バナー保持部２２の高さ位置を適宜変更することができ、バナー１０の長さ、大きさによって上端バナー保持部２２の高さ位置を変更することにより、適切な展張が可能になるように対応することが可能になる。
【００４１】
本実施の形態にあっては、接地部２３は棒状脚部４０より構成され、相互に前記本体支柱部２１を介して直角に交差して配置される４本の脚部材２７からなることから、設置面Ｇ状において安定して載置されることができ、バナー１０を安定状態で展張することが可能となる。
【００４２】
また、図７及び図８に示すように、本実施の形態に係るバナースタンド２０にあっては、バナー１０を取り付けて展張した状態のままで、横方向に他のバナースタンド２０ａを接続して複数のバナースタンド２０を連接してバナー１０を横方向に連続して配置し、大型な広告を形成することもできるように構成されている。
【００４３】
即ち、横方向に他のバナースタンド２０ａを連接させる場合には、接続具４１を使用する。この接続具４１は、短円筒状であって第一の保持部材３６及び第二の保持部材２６の径よりも大径に形成されて、第一の保持部材３６の一端部に固定できるように形成されている。
従って、他のバナースタンド２０ａを連接する場合には、図７に示すように、先ず、当該バナースタンド２０の第一の保持部材３６及び第二の保持部材２６の端部からキャップ部材３９を取り外し、接続具４１を第一の保持部材３６、３６及び第二の保持部材２６の端部に固定し、その後、図８に示すように、他のバナースタンド２０ａの第一の保持部材３６、３６及び第二の保持部材２６を、バナースタンド２０の第一の保持部材３６、３６及び第二の保持部材２６の端部に固定された接続具４１に夫々固定して、バナースタンド２０ａをバナースタンド２０に連接する。
【００４４】
その結果、バナースタンド２０及びバナースタンド２０ａが接合されることにより、バナー１０,１０が横方向に連設されることとなり、より迫力ある広告効果の大きなバナーを設置することが可能となる。
【産業上の利用可能性】
【００４５】
本考案に係るバナースタンドは、様々なバナーを掲示広告するバナースタンドに適用することができるため、広く産業上の利用可能性を有している。
【符号の説明】
【００４６】
１０  バナー
２０  バナースタンド
２１  本体支柱部
２１ａ  小径の本体支柱部
２１ｂ  大径の本体支柱部
２１ｃ  固定リング部
２２  上端バナー保持部
２３  接地部
２４  下端バナー保持部
２５  管状支持部
２６  第二の保持部材
２７  脚部材
２７ａ  長寸法の脚部材
２７ｂ  単寸法の脚部材
２８  接合部材  
２９  脚固定部
２９ａ  開口部
３０  軸部材
３１  管状支持部
３２  貫通孔
３３  中央基部
３４  凹部
３５  ストッパ部
３６  第一の保持部材
３７  リング状係止部
３８  管状係止部材
３９  キャップ部材
４０  棒状脚部
４１  接続具
Ｇ    接地面
【図１】
0003227433.tif 000003
【図２】
0003227433.tif 000004
【図３】
0003227433.tif 000005
【図４】
0003227433.tif 000006
【図５】
0003227433.tif 000007
【図６】
0003227433.tif 000008
【図７】
0003227433.tif 000009
【図８】
0003227433.tif 000010
【手続補正書】
【提出日】令和2年5月29日(2020.5.29)
【手続補正１】
【補正対象書類名】明細書
【補正対象項目名】全文
【補正方法】変更
【補正の内容】
【考案の詳細な説明】
【技術分野】
【０００１】
本考案は、広告等が記載されたバナーを支持するバナースタンドの改良に関する。
【背景技術】
【０００２】
従来、イベント会場、店舗等の様々な施設において、例えば、広告等が記載されたバナーを支持する自立型であって小型に折り畳み可能に形成されたバナースタンドが使用されている（例えば、特許文献１を参照。）。
【先行技術文献】
【特許文献】
【０００３】
【特許文献１】特開２０１０−２２４２５４号公報
【特許文献２】特開平１１-９５７０６号公報
【考案の概要】
【考案が解決しようとする課題】
【０００４】
しかしながら、上記特許文献１所載の発明にあっては、布状の掲示物を１枚のみ一方向に向けてしか掲示できないように構成されており、掲示効果が期待できない、という不具合がある。
一方、特許文献２所載の発明にあっては、２方向に掲示板を有しており、双方向への掲示効果が期待できるが、小さく折り畳むことはできず、搬送性に劣る、という不具合があった。
【０００５】
本考案は、上述のような実状に鑑みてなされたものであり、折り畳み可能であって、取り扱いおよび持ち運びを容易に行うことができると共に、掲示効果を向上させることが可能なバナースタンドを提供することが課題である。
【課題を解決するための手段】
【０００６】
上記課題を解決するために、請求項１に記載の考案は、バナーを支持するバナースタンドであって、設置面から垂直方向に延在する棒状の本体支柱部と、前記本体支柱部に固定された接合部材と、前記接合部材に軸部を介して折り畳み可能に取り付けられ、互いに対向して配置される脚部材とからなる棒状脚部とを有し、前記本体支柱部の下端部に固定された状態で設置面上に配置される接地部と、前記本体支柱部の上端部に着脱可能に取り付けられ、水平方向に配置され、バナーの中間部を保持する上端バナー保持部と、前記脚部材の先端部に設けられた管状支持部に挿通されることにより着脱可能に装着され、互いに平行に配置される２本の第一の保持部材により構成され、前記上端バナー保持部の幅方向両側に配置され、バナーの両端部を固定できる一対の下端バナー保持部とを備え、前記一対の下端バナー保持部の一方には、前記バナーの一端部を取り付け固定し、前記上端バナー保持部にはバナーの中間部を支持させ、前記下端バナー保持部の他方には、前記バナーの他端部を取り付け固定するように構成され、前記バナーの端部には係止部が設けられ、前記係止部を前記下端バナー保持部に係合させることにより固定することを特徴とするバナースタンドである。
【０００７】
従って、請求項１記載の考案にあっては、使用時には、接地部を本体支柱部の下端部に固定した状態で接地面上に立設し、バナーの一端部を一方の下端バナー保持部に取り付け、上端バナー保持部を介して展張し、他端部を他方の下端バナー保持部に固定することにより、バナーを取り付けることができる。また、非使用時には、接地部を前記本体支柱部に対して折り畳むと共に、上端バナー保持部及び下端バナー保持部を取り外して搬送又は収納することができる。
【０００８】
請求項２記載の考案にあっては、前記本体支柱部は、小径本体支柱部と、前記小径本体支柱部が内部に伸縮可能に挿通される大径本体支柱部とを備えると共に、前記接合部材は前記本体支柱部に対してスライド可能に固定され、前記接地部は前記本体支柱部に対して上下方向にスライド可能であることを特徴とする請求項１記載のバナースタンドである。
【０００９】
従って、使用時には本体支柱部を適宜伸ばし、非使用時、例えば、搬送時、収納時には支柱部を縮小させておくことができる。
【００１０】
請求項３記載の考案にあっては、前記上端バナー保持部は、前記本体支柱部の先端に固定された支持部と、前記支持部に挿通されることにより着脱可能に装着され、前記第一の保持部材と平行に配置される第二の保持部材とにより構成されていることを特徴とする請求項１記載のバナースタンドである。
【００１１】
従って、請求項３記載の考案にあっては、バナーを第一の保持部材と第二の保持部材との間に展張し、第一の保持部材に係止させて展開することにより取り付けることができる。
【考案の効果】
【００１２】
請求項１〜３記載の考案にあっては、使用時には、接地部を本体支柱部の下端部に固定した状態で接地面上に立設し、バナーの一端部を一方の下端バナー保持部に取り付け、上端バナー保持部を介して展張し、他端部を他方の下端バナー保持部に固定することにより、バナーを取り付けることができる。
また、非使用時には、接地部を前記本体支柱部に対して折り畳むと共に、上端バナー保持部及び下端バナー保持部を取り外して搬送又は収納することができることから、バナーを一対の下端バナー保持部の間に、上端バナー保持部を介して展張することができるため、双方向に向かってバナーを掲示することができ、掲示効果を向上させることが可能なバナースタンドを提供することが可能となる。
また、非使用時には、接地部を前記本体支柱部に対して折り畳むと共に、上端バナー保持部及び下端バナー保持部を取り外して搬送又は収納することができるため、折り畳み可能であって、取り扱い、持ち運び及び収納を容易に行うことができる。
【００１３】
請求項２記載の考案にあっては、請求項１記載の考案の効果に加えて、使用時には本体支柱部を伸ばし、非使用時、例えば、搬送時、収納時には支柱部を縮小させておくことができることから、小型の状態にして搬送することができ、より搬送しやすいバナースタンドを提供することができる。
【図面の簡単な説明】
【００１４】
【図１】本考案の一実施の形態に係るバナースタンドが組み立てられ、バナーを取り付け可能な状態を示す斜視図である。
【図２】本考案の一実施の形態に係るバナースタンドを組み立てた状態及び、組み立て状態における接地部の接合部材を裏面側から示す斜視図である。
【図３】本考案の一実施の形態に係るバナースタンドであって、第一の保持部材及び第二の保持部材を取り外して折り畳んだ状態を示す斜視図である。
【図４】本考案の一実施の形態に係るバナースタンドを示し、図3に示すバナースタンドを折り畳んだ状態から使用のために組み立てた状態を示す斜視図である。
【図５】本考案の一実施の形態に係るバナースタンドの使用状態を示し、バナーのバナースタンドへの取り付け状態を示す斜視説明図である。
【図６】本考案の一実施の形態に係るバナースタンドの使用状態を示し、バナースタンドにバナーが取り付けられた状態を示す斜視図である。
【図７】本考案の一実施の形態に係るバナースタンドの使用状態を示し、バナーが取り付けられたバナースタンドに他のバナーが取り付けられたバナースタンドを横方向に接合させて連接させる際の手順を示す斜視図である。
【図８】本考案の一実施の形態に係るバナースタンドの使用状態を示し、バナーが取り付けられたバナースタンドに他のバナーが取り付けられたバナースタンドを横方向に接合させて連接させる状態を示す斜視図である。
【考案を実施するための形態】
【００１５】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００１６】
図１および図２に示すように、本実施の形態に係るバナースタンド２０は、設置面Ｇから垂直方向に立設される棒状の本体支柱部２１と、本体支柱部２１に対して折り畳み可能に取り付けられ、本体支柱部２１の下端部に固定された状態で接地面Ｇ上に配置される接地部２３と、本体支柱部２１の上端部に着脱可能に取り付けられ、水平方向に配置され、バナー１０の中間部を保持する上端バナー保持部２２と、接地部２３に着脱可能に接合されて上端バナー保持部２２の幅方向両側に配置され、バナー１０の両端部を固定できる一対の下端バナー保持部２４、２４とを備えている。
【００１７】
本実施の形態にあっては、本体支柱部２１、接地部２３、上端バナー保持部２２、下端バナー保持部２４、２４は全て棒状部材により形成されている。そして、一対の下端バナー保持部２４、２４の一方には、前記バナー１０の一端部を取り付け固定し、上端バナー保持部２２にはバナー１０の中間部を支持させ、下端バナー保持部２４、２４の他方には、前記バナー１０の他端部を取り付け、図６に示すように、全体としてバナー１０を側方略逆Ｖ字状に固定できるように構成されている。
本体支柱部２１は、本実施の形態にあっては、小径の本体支柱部２１ａと、本体支柱部が内部に挿通される大径支柱部２１ｂとにより入れ子式に構成され、軸方向に伸縮可能であって、適宜の高さ寸法位置において固定リング部２１ｃにより固定して小径の棒状部材２１ａを大径の棒状部材２１ｂに対して固定した状態で使用できるように構成されている。
【００１８】
小径の本体支柱部２１ａの先端部には後述の上端バナー保持部２２を構成する管状支持部２５が固定されている。管状支持部２５は上端バナー保持部２２を構成する第二の保持部材２６が挿通固定されるように構成されている。
また、図２、３及び４図に示すように、大径の本体支柱部２１ｂの下端部には、平面十字状のストッパ部３５が配設されており、後述の脚部材２７の接合部材２８の裏面側に係止して、その状態で脚部材２７に対して垂直に立設して固定できるように形成されている。
【００１９】
接地部２３は、折り畳み可能であると共に、本体支柱部２１に対してスライド可能に取り付けられた棒状脚部４０により形成されている。
棒状脚部４０は、相互に本体支柱部２１を介して直角に交差して配置される４本の脚部材２７からなり、平面十字状の接合部材２８を介して本体支柱部２１に対して上下方向にスライド可能に取り付けられている。
【００２０】
図２に示すように、４本の脚部材２７は、夫々、接合部材２８において、接合部材２８を構成する４本の脚固定部２９に、軸部材３０を介して基端部が回動可能に固定され、脚部材２７全体が。それぞれ、本体支柱部２１に対して軸方向に沿って折り畳めるように構成されている。
４本の脚部材２７は、互いに対向する一対の、異なる長さ寸法の一対の脚部材２７ａ及び２７ｂにより形成されており、一対の脚部材２７ａは他方の一対の脚部材２７ｂよりも長く形成されており、長寸法の脚部材２７ａの先端部には、後述の下端バナー保持部２４を構成する管状支持部３１が固定されている。
【００２１】
接合部材２８は、図４に示すように、平面略十字状に形成され、中央基部３３と、中央基部３３に連設され、互いに直交して突設された４つの脚固定部２９を有している。脚固定部２９は、下方に向かって開口部２９ａが形成されたチャンネル状に形成されており、４本の脚部材２７の基端部は軸部材３０によって各脚固定部２９に回動可能に固定され、４本の脚部材２７は軸部材３０を回動中心として開口部２９ａ方向に回動し、その結果、図３に示すように、夫々、本体支柱部２１に沿って折り畳めるように配設されている。
【００２２】
接合部材２８の中央基部３３には貫通孔３２が開設されており、貫通孔３２内に大径の本体支柱部２１ｂが軸方向に沿ってスライド可能に挿通配置されている。
また、中央基部３３には貫通孔３２の周縁に十字状の凹部３４が形成されている。上記のように大径の本体支柱部２１ｂの下端部に固定されたストッパ部３５は凹部３４に係合して固定されるように構成されている。
【００２３】
図１に示すように、前記下端バナー保持部２４は、上述のように、４本の脚部材２７の内、互いに対向して配置される２本の長寸法脚部材２７ａ、２７ａに夫々、一対に設けられている。
本実施の形態にあっては、下端バナー保持部２４は、長寸法脚部材２７ａの先端に直交して設けられた管状支持部３１と、管状支持部３１に着脱可能に挿通して装着され、互いに平行に配置される２本の棒状の第一の保持部材３６とにより構成されている。
第一の保持部材３６は、管状支持部３１に対して軸方向に沿って挿入した状態で着脱可能に接合配置され、装着時には長さ方向中間部において管状支持部３１に対して装着される。
【００２４】
上端バナー保持部２２は、小径の本体支柱部２１ａの先端に直交して固定された管状支持部２５と、管状支持部２５に着脱可能に挿通して装着され、第一の保持部材３６に対して平行に配置される一本の棒状の第二の保持部材２６とにより構成されている。
第二の保持部材２６は、管状支持部２５に対して軸方向に沿って挿入した状態で着脱可能に接合配置され、装着時には長さ方向中間部において管状支持部２５に対して装着される。
【００２５】
以下、本実施の形態に係るバナースタンド２０の使用方法について説明する。
非使用時には、図３に示す状態で保管又は搬送される。即ち、二本の第一の保持部材３６及び第二の保持部材２６は、夫々、管状支持部３１、２５から夫々取り外されると共に、接地部２３を構成する４本の脚部材２７は夫々、接合部材２８の脚固定部２９の開口部２９ａ方向へそれぞれ折り畳まれ、大径の本体支柱部２１ｂに沿った形で折り畳まれ、大径の本体支柱部２１ｂの上端部に配設された固定リング部２１ｃに至るまでスライドした状態となる。
【００２６】
従って、この状態でバナースタンド２０は折り畳まれてコンパクトな状態となり、適宜、収納又は搬送される。従って、非常に小さいスペースに効率よく収納することが可能となると共に容易に搬送することができる。
次に、折り畳んだバナースタンド２０を使用状態にする場合には、図４及び図５に示すように、折り畳んだ４本の脚部材２７を拡開して、本体支柱部２１に対して直角な状態にすると共に、大径本体支持部２１ｂ上を下端部にスライドさせて、図２に示すように、ストッパ部材３５を脚固定部２９の裏面部に設けられた凹部３４に係合させて固定し、接地部２３を形成する。
【００２７】
その後、管状支持部３１及び２５に、それぞれ、第二の保持部材３６及び第一の保持部材２６を挿通固定して、バナー１０を取り付け可能な状態とする。
【００２８】
次に、バナースタンド２０にバナー１０を取り付けて展張する場合について説明する。
図１に示すように、バナースタンド２０を組み立てた状態において、図５に示すように、平面長方形状に形成されたバナー１０を一方の下端バナー保持部２４ａに固定する。
この場合、バナー１０の長さ方向両端部の幅方向両端部には、一対のリング状係止部３７が夫々設けられており、長さ方向一端部の一対のリング状係止部３７，３７を、第一の保持部材３６の両端部に係止して、上端バナー保持部２２を構成する第二の保持部材２６方向へ展張する。
【００２９】
その後、図６に示すように、第二の保持部材２６を介して、上記同様の要領によって他方の下端バナー保持部２４ｂに固定する。その後、周方向に一部に開口部が形成された
管状係止部材３８を第一の保持部材３６の両端部に挿通させて、リング状係止部３７を被覆するように固定する。
さらに、第一の保持部材３６及び第二の保持部材２６の径よりも大径のフランジ部を有するキャップ部材３９を、夫々、第一の保持部材３６及び第二の保持部材２６の両端部にはめ込み、バナー１０の抜け落ち、移動を阻止する。これにより、バナー１０は確実にバナースタンド２０に固定された状態で展張される。
【００３０】
その結果、バナー１０は、一対の下端バナー保持部２４ａには、バナー１０の一端部を取り付け固定し、上端バナー保持部２２にはバナー１０の中間部を支持させ、他方の下端バナー保持部２４ｂには、バナー１０の他端部を取り付け固定され、両方の下端バナー保持部２４ａ、２４ｂの間において上端バナー保持部を介して側面逆Ｖ字状に展張され、バナー１０は双方向から視認できるように配置され、バナー１０に表示した表示物の広告効果を十分に発揮することができる。
【００３１】
本実施の形態にあっては、本体支柱部２１は、大径の本体支柱部２１ａ及び、大径の本体支柱部２１ａに挿通された小径の本体支柱部２１ｂとにより構成され、適宜箇所において固定できるように伸縮可能に形成されていることから、上端バナー保持部２２の高さ位置を適宜変更することができ、バナー１０の長さ、大きさによって上端バナー保持部２２の高さ位置を変更することにより、適切な展張が可能になるように対応することが可能になる。
【００３２】
本実施の形態にあっては、接地部２３は棒状脚部４０より構成され、相互に前記本体支柱部２１を介して直角に交差して配置される４本の脚部材２７からなることから、設置面Ｇ状において安定して載置されることができ、バナー１０を安定状態で展張することが可能となる。
【００３３】
また、図７及び図８に示すように、本実施の形態に係るバナースタンド２０にあっては、バナー１０を取り付けて展張した状態のままで、横方向に他のバナースタンド２０ａを接続して複数のバナースタンド２０を連接してバナー１０を横方向に連続して配置し、大型な広告を形成することもできるように構成されている。
【００３４】
即ち、横方向に他のバナースタンド２０ａを連接させる場合には、接続具４１を使用する。この接続具４１は、短円筒状であって第一の保持部材３６及び第二の保持部材２６の径よりも大径に形成されて、第一の保持部材３６の一端部に固定できるように形成されている。
従って、他のバナースタンド２０ａを連接する場合には、図７に示すように、先ず、当該バナースタンド２０の第一の保持部材３６及び第二の保持部材２６の端部からキャップ部材３９を取り外し、接続具４１を第一の保持部材３６、３６及び第二の保持部材２６の端部に固定し、その後、図８に示すように、他のバナースタンド２０ａの第一の保持部材３６、３６及び第二の保持部材２６を、バナースタンド２０の第一の保持部材３６、３６及び第二の保持部材２６の端部に固定された接続具４１に夫々固定して、バナースタンド２０ａをバナースタンド２０に連接する。
【００３５】
その結果、バナースタンド２０及びバナースタンド２０ａが接合されることにより、バナー１０,１０が横方向に連設されることとなり、より迫力ある広告効果の大きなバナーを設置することが可能となる。
【産業上の利用可能性】
【００３６】
本考案に係るバナースタンドは、様々なバナーを掲示広告するバナースタンドに適用することができるため、広く産業上の利用可能性を有している。
【符号の説明】
【００３７】
１０  バナー
２０  バナースタンド
２１  本体支柱部
２１ａ  小径の本体支柱部
２１ｂ  大径の本体支柱部
２１ｃ  固定リング部
２２  上端バナー保持部
２３  接地部
２４  下端バナー保持部
２５  管状支持部
２６  第二の保持部材
２７  脚部材
２７ａ  長寸法の脚部材
２７ｂ  単寸法の脚部材
２８  接合部材  
２９  脚固定部
２９ａ  開口部
３０  軸部材
３１  管状支持部
３２  貫通孔
３３  中央基部
３４  凹部
３５  ストッパ部
３６  第一の保持部材
３７  リング状係止部
３８  管状係止部材
３９  キャップ部材
４０  棒状脚部
４１  接続具
Ｇ    接地面
【手続補正２】
【補正対象書類名】実用新案登録請求の範囲
【補正対象項目名】全文
【補正方法】変更
【補正の内容】
【実用新案登録請求の範囲】
【請求項１】
バナーを支持するバナースタンドであって、
設置面から垂直方向に延在する棒状の本体支柱部と、
前記本体支柱部に固定された接合部材と、前記接合部材に軸部を介して折り畳み可能に取り付けられ、互いに対向して配置される脚部材とからなる棒状脚部とを有し、前記本体支柱部の下端部に固定された状態で設置面上に配置される接地部と、
前記本体支柱部の上端部に着脱可能に取り付けられ、水平方向に配置され、バナーの中間部を保持する上端バナー保持部と、
前記脚部材の先端部に設けられた管状支持部に挿通されることにより着脱可能に装着され、互いに平行に配置される２本の第一の保持部材により構成され、前記上端バナー保持部の幅方向両側に配置され、バナーの両端部を固定できる一対の下端バナー保持部とを備え、
前記一対の下端バナー保持部の一方には、前記バナーの一端部を取り付け固定し、前記上端バナー保持部にはバナーの中間部を支持させ、前記下端バナー保持部の他方には、前記バナーの他端部を取り付け固定するように構成され、
前記バナーの端部には係止部が設けられ、前記係止部を前記下端バナー保持部に係合させることにより固定することを特徴とするバナースタンド。
【請求項２】
前記本体支柱部は、小径本体支柱部と、前記小径本体支柱部が内部に伸縮可能に挿通される大径本体支柱部とを備えると共に、前記接合部材は前記本体支柱部に対してスライド可能に固定され、前記接地部は前記本体支柱部に対して上下方向にスライド可能であることを特徴とする請求項１記載のバナースタンド。
【請求項３】
前記上端バナー保持部は、前記本体支柱部の先端に固定された支持部と、前記支持部に挿通されることにより着脱可能に装着され、前記第一の保持部材と平行に配置される第二の保持部材とにより構成されていることを特徴とする請求項１記載のバナースタンド。
【手続補正３】
【補正対象書類名】図面
【補正対象項目名】全図
【補正方法】変更
【補正の内容】
【図１】
0003227433.tif 000011
【図２】
0003227433.tif 000012
【図３】
0003227433.tif 000013
【図４】
0003227433.tif 000014
【図５】
0003227433.tif 000015
【図６】
0003227433.tif 000016
【図７】
0003227433.tif 000017
【図８】
0003227433.tif 000018